(57)【要約】【課題】波長増設を行う際、短時間で、伝送路で発生する利得偏差を補正し、所定の光レベルの光信号を得る。【解決手段】受信した増設波長分割多重信号の各波長の光レベルを検出する波長レベルモニタ１３と、増設波長分割多重信号の光レベルを増幅する光増幅器１６と、光増幅器により光レベルが増幅される増設波長分割多重信号を各波長の光信号に分波する波長分割多重器１７と、波長分割多重器により分波される各波長の光信号の光レベルを減衰する可変減衰器１８と、可変減衰器により減衰される各波長の光信号から光レベルを検出する受光素子１９と、波長レベルモニタにより検出される光レベルに基づいて可変減衰器による各波長の光レベルの減衰量を制御し、受光素子により検出される光レベルに基づいて光増幅器の光レベルの増幅量を制御する監視制御装置２１とを備える。【選択図】図１
2011010015.tif 000002
【特許請求の範囲】
【請求項１】
既設の波長分割多重信号に増設波長分割多重信号を増設する波長分割多重光伝送装置において、
受信した増設波長分割多重信号の各波長の光レベルを検出する波長レベルモニタと、
前記受信した増設波長分割多重信号の光レベルを増幅する光増幅器と、
前記光増幅器により光レベルが増幅される増設波長分割多重信号を各波長の光信号に分波する波長分割多重器と、
前記波長分割多重器により分波される各波長の光信号の光レベルを減衰する可変減衰器と、
前記可変減衰器により減衰される各波長の光信号から前記光レベルを検出する受光素子と、
前記波長レベルモニタにより検出される光レベルに基づいて前記可変減衰器による各波長の光レベルの減衰量を制御し、前記受光素子により検出される光レベルに基づいて前記光増幅器の光レベルの増幅量を制御する監視制御装置と
を備えることを特徴とする波長分割多重光伝送装置。
【請求項２】
前記受光素子を通過する各波長の光信号を受信し、各波長の光信号に発生する符号誤りを訂正する光受信器を備え、
前記監視制御装置は、前記光受信器により訂正される符号誤り回数から波長毎の光信号の符号誤り率を算出し、当該符号誤り率に基づいて前記可変減衰器及び前記光増幅器を制御する
ことを特徴とする請求項１記載の波長分割多重光伝送装置。
【請求項３】
前記受光素子を通過する各波長の光信号を受信し、各波長の光信号に発生する符号誤りを訂正する光受信器を備え、
前記監視制御装置は、前記光受信器により訂正される符号誤り回数から波長毎の光信号の符号誤り率を算出し、当該符号誤率に基づいて送信側の波長分割多重光伝送装置に前記波長毎の光信号の光レベルを制御させる
ことを特徴とする請求項１記載の波長分割多重光伝送装置。
【発明の詳細な説明】
【技術分野】
【０００１】
この発明は、例えば既設されている波長分割多重光伝送システムの波長増設を行い、システム容量を増やすための波長分割多重光伝送装置に関するものである。
【背景技術】
【０００２】
海底光ケーブル伝送システムでは、海峡横断などに適用する無中継方式と、大洋横断などに適用する海底中継装置を含む長距離中継方式に大別される。長距離中継方式を必要とする海底光ケーブル伝送システムでは、海底中継伝送路とその両端の陸地の波長分割多重光伝送装置等から構成され、５０Ｋｍから８０Ｋｍ程度の中継スパンごとに海底中継装置を配設する。
【０００３】
こうした光ケーブルにより複数の情報を効率良く伝送する技術として、波長分割多重光伝送システムがある。この波長分割多重光伝送システムでは、初期設計からシステム最大の波長数で運用されることは稀であり、回線需要に応じてその波長数を増やしていくことが一般的である。また、海底中継装置は常に一定のパワーで運用されるため、陸地の波長分割多重光伝送装置から送出される光信号のトータルパワーは常に一定で出力し、光信号の波長毎のパワーも運用される波長数によらず一定にする必要がある。
【０００４】
そのため、この波長分割多重光伝送システムの運用波長が最大波長数を下回る場合、光送信するトータルパワー及び光信号の波長毎のパワーを一定とするために、ダミー光信号と呼ばれるパワー調整のための擬似信号を光信号とあわせて海底中継装置に送出することが一般的である。また、近年使用される送受信器の特性改善や誤り訂正能力の強化等により、初期に設計された波長数を上回る波長数で光信号を伝送すること(アップグレード)が可能となっている。しかしながら、このアップグレードでは、既設波長を撤去して新設波長を増設したり、既設波長と新設波長を共存させてシステム容量を増やすなど、様々な増設方法が実施されているが、波長数の増加により、その最適化調整は複雑になるという課題がある。
【０００５】
まず、波長分割多重光伝送装置では、既に運用している既存の波長に対して、増設作業が悪影響を及ぼさないようにするための最適化を実施する必要がある。特に新たに波長を増設する場合、送信側で新たに増設される波長の光レベルを調整し、所定のＯＳＮＲ（Optical Signal-to-Noise Ratio）が得られるように光レベルを最適化する必要がある。しかしながら、この光レベルを上げ過ぎると他の波長の信号特性が劣化する恐れがあり、低すぎると自身の信号特性が満足できないという課題がある。
【０００６】
また、この送信側の光レベルの調整を実施した後には、光受信器のダイナミックレンジの範囲内となるよう、さらに受信側の光レベルを調整する必要がある。ここで、光増幅器を用いた光受信器であれば、そのダイナミックレンジは広く設定することが可能であり、送信側の光レベルの調整と比較すると受信側の光レベル調整は格段に容易である一方、コストが増加するという課題がある。
【０００７】
これに対して、個々の光受信器に対して光増幅器を用いず、前段の波長分割多重器の手前で適切な光レベルとなるよう、光信号波長を一括して光増幅器で増幅し、波長分割後の光受信器で受信される光レベルを調整する波長分割多重光伝送装置もある。しかし、この調整によっては光受信器で受信される光レベルが最低許容光レベル付近となることがあり、特に伝送路からの時間変動、光ケーブル障害発生の修理等による影響から光レベル低下に対するマージンが減少するという課題がある。また、海底中継装置の帯域上の問題から、受信光スペクトルがフラットとならず、利得に傾斜が発生する場合があるという課題がある。上記の理由から、オペレータは既設波長に対しても、増設波長に対しても様々な注意が必要であり、それが最適化調整をより煩雑化させる要因となっているという課題がある。
【０００８】
そこで、上記の課題を解決するために、既設波長の光レベルを最低許容光レベルまで低下させることを可能にし、それにあわせて新設波長の光レベルを増大することを可能とした波長分割多重光伝送装置がある（例えば、特許文献１参照）。
【先行技術文献】
【特許文献】
【０００９】
【特許文献１】特開２００５−２６９００７号公報
【発明の概要】
【発明が解決しようとする課題】
【００１０】
しかしながら、特許文献１に開示される波長分割多重光伝送装置では、新設される光信号の光レベルに対する制御方法及び海底中継装置の利得傾斜の課題については考慮されておらず、特に光受信器のダイナミックレンジが狭い場合では、光レベルが最適化されても規定値を満足することができない可能性があるという課題がある。
【００１１】
この発明は、上記のような課題を解決するためになされたもので、波長増設に必要な調整作業の省力化を図ることで、より短時間で波長増設を実現することができる波長分割多重光伝送装置を提供することを目的としている。
【課題を解決するための手段】
【００１２】
この発明に係る波長分割多重光伝送装置は、既設の波長分割多重信号に増設波長分割多重信号を増設する波長分割多重光伝送装置において、受信した増設波長分割多重信号の各波長の光レベルを検出する波長レベルモニタと、受信した増設波長分割多重信号の光レベルを増幅する光増幅器と、光増幅器により光レベルが増幅される増設波長分割多重信号を各波長の光信号に分波する波長分割多重器と、波長分割多重器により分波される各波長の光信号の光レベルを減衰する可変減衰器と、可変減衰器により減衰される各波長の光信号から光レベルを検出する受光素子と、波長レベルモニタにより検出される光レベルに基づいて可変減衰器による各波長の光レベルの減衰量を制御し、受光素子により検出される光レベルに基づいて光増幅器の光レベルの増幅量を制御する監視制御装置とを備えるものである。
【発明の効果】
【００１３】
この発明によれば、上記のように構成したので、波長増設によって所望の特性を得るために必要な調整作業を短時間で行うことができる。また、光受信器に具備されている光増幅器を削減することができるため、コストを削減することができる。
【図面の簡単な説明】
【００１４】
【図１】この発明の実施の形態１に係る波長分割多重光伝送システムの構成を示す図である。
【図２】この発明の実施の形態１における波長増設前後での送受信光スペクトル及び光受信器により受信される光信号の光レベルを示す図である。
【図３】この発明の実施の形態２に係る波長分割多重光伝送システムの構成を示す図である。
【図４】この発明の実施の形態２における光受信器の構成を示す図である。
【図５】この発明の実施の形態３に係る波長分割多重光伝送システムの構成を示す図である。
【発明を実施するための形態】
【００１５】
以下、この発明の実施の形態について図面を参照しながら詳細に説明する。
実施の形態１．
図１はこの発明の実施の形態１に係る波長分割多重光伝送システムの構成を示す図である。
この発明の実施の形態に係る波長分割多重光伝送システムでは、既設波長を残したまま既設波長よりも狭い波長間隔で新設波長を挿入する場合、既存波長の一部を撤去して既設波長よりも狭い波長間隔で新設波長を挿入する場合及び既設波長を全て撤去して全て新設波長とする場合の３通りが考えられるが、いずれの場合にも適用可能であるため、以下の実施の形態では既設波長を残したまま、新設波長を挿入することにより波長増設を行う場合について説明する。
【００１６】
波長分割多重光伝送システムは、図１に示すように、波長分割多重光伝送装置（送信側）１、海底中継伝送路２及び波長分割多重光伝送装置（受信側）３から構成される。
【００１７】
波長分割多重光伝送装置（送信側）１は、既設されている波長の波長分割多重信号及び増設する波長の波長分割多重信号を波長分割多重光伝送装置（受信側）３に海底中継伝送路２を介して送信するものである。この波長分割多重光伝送装置（送信側）１は、図１に示すように、既設ＷＤＭ（Wavelength Division Multiplexing）装置４、監視制御装置５、光送信器６−１〜６−ｎ、波長分割多重器７、光増幅器８、合分波器９及び光増幅器１０から構成される。
【００１８】
既設ＷＤＭ装置４は、既設されている各波長の光信号を合波して波長分割多重信号を生成するものである。この既設ＷＤＭ装置４により生成された既設波長分割多重信号は合分波器９に送信される。
【００１９】
監視制御装置５は、波長分割多重光伝送装置（送信側）１の各機器の制御及び状態監視を行うものである。この監視制御装置５は光送信器６−１〜６−ｎに各増幅波長の光信号を生成させる。
【００２０】
光送信器６−１〜６−ｎ（ｎは自然数）は、監視制御装置５による制御に基づいて、増設波長の光信号を生成して送信するものであり、増設する波長毎に設けられるものである。なお、波長分割多重光伝送装置（送信側）１から送信される波長分割多重信号のトータルパワーはすでに運用されているトータルパワーと同一にする必要があるが、光送信器６−１〜６−ｎでは既設の波長に対して波長を増設させることを目的としているため、既設波長の光信号の光レベルに対して増設波長の光信号の光レベルを低下させる必要がある。そのため、この光送信器６−１〜６−ｎは、既設ＷＤＭ装置４以上の送信品質を有し、既設波長よりも狭い波長間隔でも送信可能な性能を有して構成される。この光送信器６−１〜６−ｎにより発生された各増設波長の光信号は波長分割多重器７に送信される。
【００２１】
波長分割多重器７は、光送信器６−１〜６−ｎから送信される各増設波長の光信号を合波するものである。また、この波長分割多重器７では、合波した波長あたりの光ピークレベルをある程度揃えるため、伝送路の条件に応じて波長分散補償ファイバや光増幅器を備えるように構成してもよい。この波長分割多重器７により合波された増設波長分割多重信号は光増幅器８に送信される。
【００２２】
光増幅器８は、波長分割多重器７から送信される増設波長分割多重信号の光レベルを増幅させるものであり、伝送による光レベルの損失を補償するものである。この光増幅器８により光レベルが増幅された増設波長分割多重信号は合分波器９に送信される。
【００２３】
合分波器９は、既設ＷＤＭ装置４から送信される既設波長分割多重信号と光増幅器８から送信される増幅波長分割多重信号とを合波するものである。この合分波器９は、光カプラもしくは所定の光帯域のみを合分波するＷＤＭフィルタにより構成される。この合分波器９により合波された波長分割多重信号は光増幅器１０に送信される。
なお、図１では、合分波器９は光増幅器１０の入力側に配置されているが、既設波長分割多重信号及び増設波長分割多重信号の合波後の光レベルが所望の光レベルであればよいため、合分波器９を光増幅器１０の出力側に配置してもよい。
【００２４】
光増幅器１０は、合分波器９から送信される波長分割多重信号の光レベルを増幅するものであり、伝送による光レベルの損失を補償するものである。この光増幅器１０により光レベルが増幅された波長分割多重信号は海底中継伝送路２に送信される。
【００２５】
海底中継伝送路２は、波長分割多重光伝送装置（送信側）１から送信される波長分割多重信号を波長分割多重光伝送装置（受信側）３に送信するものであり、光ファイバとその損失を補償するための光増幅器から構成される。また、海底中継伝送路２には、５０Ｋｍから８０Ｋｍ程度の中継スパンごとに不図示の海底中継装置が配設されている。この海底中継伝送路２を通過した波長分割多重信号は波長分割多重光伝送装置（受信側）３に送信される。
【００２６】
波長分割多重光伝送装置（受信側）３は、波長分割多重光伝送装置（送信側）１から海底中継伝送路２を介して送信される波長分割多重信号を受信するものである。この波長分割多重光伝送装置（受信側）３は、図１に示すように、光増幅器１１、光カプラ１２、波長レベルモニタ（ＯＳＡ）１３、合分波器１４、既設ＷＤＭ装置１５、光増幅器１６、波長分割多重器１７、可変減衰器１８、受光素子１９、光受信器２０−１〜２０−ｎ及び監視制御装置２１から構成される。
【００２７】
光増幅器１１は、海底中継伝送路２から送信される波長分割多重信号の光レベルを増幅するものであり、伝送による光レベルの損失を補償するものである。この光増幅器１１により光レベルが増幅された波長分割多重信号は光カプラ１２に送信される。
【００２８】
光カプラ１２は、光増幅器１１から送信される波長分割多重信号を光分岐するものであり、伝送品質に影響を与えない程度の分岐比の光分岐手段である。この光カプラ１２により光分岐された波長分割多重信号は波長レベルモニタ１３及び合分波器９に送信される。なお、図１では、光カプラ１２は光増幅器１１の出力側に配置されているが、光増幅器１１の入力側に配置してもよい。
【００２９】
波長レベルモニタ１３（ＯＳＡ）は、光カプラ１２から送信される波長分割多重信号から各波長の光レベルを検出し、各波長間のレベル偏差を算出するものであり、例えば、十分な分解能を有する光スペクトルアナライザにより構成される。この波長レベルモニタ１３により算出された各波長間のレベル偏差は、監視制御装置２１に送信される。
なお、波長レベルモニタ１３は通常高額な光スペクトラムアナライザであることが多いため、波長分割多重光伝送装置（受信側）３に常設されることは少なく、必要とされる際に設置されることが常であるため、この波長レベルモニタ１３により算出された各波長間のレベル偏差は監視制御装置２１に対して手動で入力するように構成してもよい。
【００３０】
合分波器１４は、光カプラ１２から送信される波長分割多重信号を既設波長分割多重信号と増設波長分割多重信号とに分離するものである。この合分波器１４により分離された既設波長分割多重信号は既設ＷＤＭ装置１５に送信され、増設波長分割多重信号は光増幅器１６に送信される。
【００３１】
既設ＷＤＭ装置１５は、合分波器１４から送信される既設波長分割多重信号を受信するものである。この既設ＷＤＭ装置１５に受信された既設波長分割多重信号は各波長の光信号に分波され、所望の光レベルに減衰されて、信号再生が行われる。
【００３２】
光増幅器１６は、監視制御装置２１による制御に基づいて、合分波器１４から送信される増設波長分割多重信号を所望な光レベルに増幅するものである。この光増幅器１６により光レベルが増幅された増設波長分割多重信号は波長分割多重器１７に送信される。
【００３３】
波長分割多重器１７は、光増幅器１６から送信される増設波長分割多重信号を各増設波長の光信号に分波するものである。また、この波長分割多重器１７は伝送路の条件に応じて波長分散補償ファイバや光増幅器を備えるように構成してもよい。この波長分割多重器１７により分波された各増設波長の光信号は可変減衰器１８に送信される。
【００３４】
可変減衰器１８は、監視制御装置２１による制御に基づいて、波長分割多重器１７から送信される各増設波長の光信号を所望の光レベルに減衰するものであり、増設波長毎に設けられるものである。この可変減衰器１８により光レベルが減衰された各増設波長の光信号は受光素子１９に送信される。
【００３５】
受光素子１９は、可変減衰器１８から送信される各増設波長の光信号から光レベルを検出するものであり、増設波長毎に設けられるものである。この受光素子１９により検出された各増設波長の光レベルは監視制御装置２１に送信され、受光素子１９を通過した光信号は光受信器２０−１〜２０−ｎに送信される。
【００３６】
光受信器２０−１〜２０−ｎ（ｎは自然数）は、受光素子１９から送信される各増設波長の光信号を受信し、信号再生を行うものである。なお、光受信器２０−１〜２０−ｎは既設ＷＤＭ装置１５以上の受信品質を有し、既設波長よりも狭い波長間隔でも受信可能な性能を有して構成される。
【００３７】
監視制御装置２１は、波長分割多重光伝送装置（受信側）３の各機器を制御するものであり、複数設けられるものである。また、監視制御装置２１には、光受信器２０−１〜２０−ｎで必要な光信号の光レベル(ターゲットレベル)及び許容される各波長間のレベル偏差が予め設定されている。この監視制御装置２１は、波長レベルモニタ１３から送信される各波長間のレベル偏差と予め設定される各波長間のレベル偏差とから算出される差分値に基づいて、可変減衰器１８による各波長の光レベルの減衰量を制御することにより、この各波長間のレベル偏差を吸収させる。また、受光素子１９から送信される各増設波長の光レベルと予め設定される所望の光レベルとの比較に基づいて、所望の光レベルとなるように光増幅器１６による光レベルの増幅量を制御する。
【００３８】
なお、図１では波長分割多重光伝送装置（送信側）１から波長分割多重光伝送装置（受信側）３に向けた波長分割多重信号の伝送を示しているが、通常、光送信器６−１〜６−ｎと光受信器２０−１〜２０−ｎは送受信器両方の機能を有するトランスポンダであることが多く、波長分割多重光伝送装置（受信側）３から波長分割多重光伝送装置（送信側）１に向けた波長分割多重信号の伝送も可能である。なお、これらは図が煩雑になるため省略する。
【００３９】
次に上記のように構成される波長分割多重光伝送システムの動作について説明する。
まず、波長分割多重光伝送装置（送信側）１の既設ＷＤＭ装置４は、既設されている各波長の光信号を合波することにより既設波長分割多重信号を生成する。この既設ＷＤＭ装置４により生成される既設波長分割多重信号は合分波器９に送信される。
【００４０】
一方、光送信器６−１〜６−ｎは、監視制御装置５による制御に基づいて、増設波長の光信号を生成して、波長分割多重器７に送信する。次いで、波長分割多重器７は、光送信器６−１〜６−ｎから送信される各増設波長の光信号を合波する。この波長分割多重器７により合波された増設波長分割多重信号は光増幅器８により光レベルが増幅されて合分波器９に送信される。
【００４１】
次いで、合分波器９は、既設ＷＤＭ装置４から送信される既設波長分割多重信号と光増幅器８から送信される増幅波長分割多重信号とを合波する。この合分波器９により合波された波長分割多重信号は、光増幅器１０により増幅されて、海底中継伝送路２を介して波長分割多重光伝送装置（受信側）３に送信される。
【００４２】
次いで、波長分割多重光伝送装置（受信側）３の光増幅器１１は、波長分割多重光伝送装置（送信側）１から海底中継伝送路２を介して送信される波長分割多重信号の光レベルを増幅する。この光増幅器１１により光レベルが増幅された波長分割多重信号は光カプラ１２に送信される。次いで、光カプラ１２は、光増幅器１１から送信される波長分割多重信号を光分岐する。この光カプラ１２により光分岐された波長分割多重信号は波長レベルモニタ１３及び合分波器１４に送信される。
【００４３】
次いで、波長レベルモニタ１３は、光カプラ１２から送信される波長分割多重信号から各波長の光レベルを検出し、各波長間の偏差レベルを算出する。この波長レベルモニタ１３により算出される各波長間の偏差レベルは、監視制御装置２１に送信される。
【００４４】
一方、合分波器１４は、光カプラ１２から送信される波長分割多重信号を既設波長分割多重信号と増設波長分割多重信号とに分離する。この合分波器１４により分離された既設波長分割多重信号は既設ＷＤＭ装置１５に送信され、増設波長分割多重信号は光増幅器１６に送信される。
【００４５】
次いで、既設ＷＤＭ装置１５は、合分波器１４から送信される既設波長分割多重信号を各波長の光信号に分波し、所望の光レベルに減衰して、信号再生を行う。
【００４６】
一方、光増幅器１６は、監視制御装置２１による制御に基づいて、合分波器１４から送信される増設波長分割多重信号を所望の光レベルに増幅する。この光増幅器１６により光レベルが増幅された増設波長分割多重信号は波長分割多重器１７に送信される。次いで、波長分割多重器１７は、光増幅器１６から送信される増設波長分割多重信号を各増設波長の光信号に分波する。この波長分割多重器１７により分波された各増設波長の光信号は可変減衰器１８に送信される。
【００４７】
次いで、可変減衰器１８は、監視制御装置２１による制御に基づいて、波長分割多重器１７から送信される各増設波長の光信号を所望の光レベルに減衰する。この可変減衰器１８により光レベルが減衰された各増設波長の光信号は受光素子１９に送信される。次いで、受光素子１９は、可変減衰器１８から送信される各増設波長の光信号の光レベルを検出する。この受光素子１９により検出された各波長の光信号の光レベルは監視制御装置２１に送信され、この受光素子を通過した各増設波長の光信号は光受信器２０−１〜２０−ｎに送信される。
【００４８】
次いで、光受信器２０−１〜２０−ｎは、受光素子１９から送信される各増設波長の光信号を受信し、信号再生を行う。
【００４９】
次に、波長分割多重光伝送装置（受信側）３の監視制御装置２１による光増幅器１６及び可変減衰器１８の制御について説明する。
図２はこの発明の実施の形態１における波長増設前後での送受信光スペクトル及び光受信器２０−１〜２０−ｎにより受信される光信号の光レベルを示す図である。図２（ａ）は波長増設前の送受信光スペクトル及び光レベルを示す図であり、図２（ｂ）は波長増設後の送受信光スペクトル及び光レベルを示す図である。
【００５０】
図２に示すように、波長の増設によるアップグレードでは、初期設計した波長数を超える波長で増設するため、増設される波長の光レベルは初期設定で想定されている既存波長の光レベルと同一にする必要があり、増設波長の光レベルを既設波長の光レベルより低くする必要がある。具体的には既存波長２波長分の帯域を新たに４波長分の増設波長でアップグレードする場合には、その増設波長の光レベルを既設波長の半分に設定することが求められる。
【００５１】
また、波長の増設した波長分割多重信号を伝送する際に、海底中継伝送路２に配置される海底中継装置により受信光スペクトルに利得傾斜が発生する。そのため、図２（ｂ）に示すように、光受信機２０−１〜２０−ｎにより受信される各増設波長の光信号の光レベルにはレベル偏差が生じる。
【００５２】
そこで、監視制御装置２１では、光受信器２０−１〜２０−ｎで必要な光レベル及び許容される各波長間のレベル偏差を予め設定しておき、まず、波長レベルモニタ１３により送信される各波長間のレベル偏差と予め設定される各波長のレベル偏差の差分値を算出し、この差分値に基づいて可変減衰器１８による各波長の光レベルの減衰量を設定し、利得傾斜が発生することによるレベル偏差が吸収されるように制御を行う。なお、ここでは可変減衰器１８は光レベルを減衰させるだけの手段としたが、この可変減衰器１８を利得調整可能な光増幅器に置き換えてもよい。
【００５３】
その上で、監視制御装置２１は、受光素子１９から送信される各波長の光レベルと予め設定される所望の光レベルとを比較し、光受信器２０−１〜２０−ｎにより受信される各波長の光信号の光レベルが不足していると判断した場合には、光増幅器１６による光レベルの増幅量を上げ、所望の光レベルが得られるように制御を行う。
【００５４】
このように構成することで、波長増設によって所望の特性を得るために必要な調整作業を短時間で行うことができ、また、光受信器２０−１〜２０−ｎのダイナミックレンジが減少しても、そのダイナミックレンジの減少分を補償することが可能であるため、各光受信器２０−１〜２０−ｎ内に光増幅器を設ける必要はなくなり、コストを削減することができる。
【００５５】
以上のように、この発明の実施の形態１によれば、監視制御装置２１は、波長レベルモニタ１３により算出される波長分割多重信号の各波長間のレベル偏差と予め設定される所望のレベル偏差との差分値を算出し、この差分値に基づいて、可変減衰器１８によってそのレベル偏差を吸収させるように制御させ、後段の受光素子１９により検出される光レベルが予め所望の光レベルとなっているかを判定して、所望の光レベルとなるように光増幅器１６を制御するように構成したので、波長増設によって所望の特性を得るために必要な調整作業を短時間で行うことができる。また、各光受信器２０−１〜２０−ｎ内に光増幅器を設ける必要はなくなり、コストを削減することができる。
【００５６】
実施の形態２．
図３はこの発明の実施の形態２に係る波長分割多重光伝送システムの構成を示す図である。また、図４はこの発明の実施の形態２における光受信器２２−１〜２２−ｎの構成を示す図である。
図３に示す、この発明の実施の形態２に係る波長分割多重光伝送システムでは、図１に示す、この発明の実施の形態１における光受信器２０−１〜２０−ｎが有する機能に加えて、誤り訂正符号機能（ＦＥＣ）を有する光受信器２２−１〜２２−ｎとを備えたものである。
以下、図１に示す、この発明の実施の形態１に係る波長分割多重光伝送システムと同一または同様の構成については、同一の符号を付し、その説明を省略する。
【００５７】
光受信器２２−１〜２２−ｎは、この発明の実施の形態１における光受信器２０−１〜２０−ｎが有する機能に加えて、誤り訂正符号機能を有する光受信器であり、伝送中に発生している符号誤り（Bit Error）を訂正して、その符号誤り数を監視制御装置２１に通知するものである。この光受信器２２−１〜２２−ｎは、図４に示すように、受光素子１９から送信される各増設波長の光信号を電気信号に変換するＯ／Ｅ（Optical/Electrical）部２３と、Ｏ／Ｅ部２３により変換される電気信号から符号誤りを訂正するＦＥＣ部２４と、ＦＥＣ部２４により符号誤りが訂正される電気信号を光信号に変換するＥ／Ｏ（Electrical/Optical）部２５とから構成される。
【００５８】
また、監視制御装置２１は、この発明の実施の形態１における監視制御装置２１が有する機能に加えて、光受信器２２−１〜２２−ｎから通知される符号誤り数から符号誤り率（Bit Error Rate；ＢＥＲ）を算出し、算出したＢＥＲと予め設定される所望のＢＥＲとの比較に基づいて、所望のＢＥＲに到達しない増設波長の光信号に対して、監視制御装置２１で予め設定される所望の光レベル及び許容される各波長間のレベル偏差の範囲内で可変減衰器１８の減衰量を下げるように制御することにより、ＢＥＲを改善する機能を有する。なお、伝送後の各波長の光信号のＢＥＲは使用する光受信器２２−１〜２２−ｎの性能に合わせて、波長毎に平均化させるように調整することが望ましい。
【００５９】
このように監視制御装置２１は、光受信器２２−１〜２２−ｎから通知される符号誤り数から波長毎のＢＥＲを算出し、その算出したＢＥＲと予め設定されるＢＥＲとの比較を行い、所望のＢＥＲとなるように、監視制御装置２１で予め設定される所望の光レベル及び許容される各波長間のレベル偏差の範囲内で、可変減衰器１８を制御することで、各波長の光信号のＢＥＲが平均化された上で、光受信器２２−１〜２２−ｎにより受信される各波長の光信号を所望の光レベルにすることができ、波長増設によって所望の特性を得るために必要な調整作業を短時間で行うことができるだけでなく、波長毎に高い特性を得ることが可能である。
【００６０】
以上のように、この発明の実施の形態２によれば、監視制御装置２１は、光受信器２２−１〜２２−ｎから通知される符号誤り数から波長毎のＢＥＲを算出し、その算出したＢＥＲと予め設定されるＢＥＲとの比較を行い、所望のＢＥＲとなるように許容の範囲内で可変減衰器１８を制御するように構成したので、この発明の実施の形態１の効果に加えて、波長毎に高い特性を得ることが可能である。
【００６１】
実施の形態３．
図５はこの発明の実施の形態３に係る波長分割多重光伝送システムの構成を示すブロック図である。
以下、図３に示す、この発明の実施の形態２に係る波長分割多重光伝送システムと同一または同様の構成については、同一の符号を付し、その説明を省略する。
【００６２】
監視制御装置２１は、この発明の実施の形態１における監視制御装置２１が有する機能に加えて、光受信器２２−１〜２２−ｎから通知される符号誤り数から符号誤り率（ＢＥＲ）を算出し、この各波長の光信号のＢＥＲを受信側の監視制御装置５に送信するものである。
【００６３】
監視制御装置５は、この発明の実施の形態１における監視制御装置５が有する機能に加えて、監視制御装置２１から送信される各波長の光信号のＢＥＲに基づいて、この各波長の光信号のＢＥＲを平均化させるように各波長の光レベルに偏差を設けるためのプリエンファシス量を調節することにより、光送信器６−１〜６−ｎにより生成される各波長の光信号の光レベルを制御する。
【００６４】
このように受信側の監視制御装置２１により算出される各波長の光信号のＢＥＲを、送信側の監視制御装置５にフィードバックして、波長毎の光信号のＢＥＲを平均化させるように光送信器６−１〜６−ｎにより生成される各波長の光信号の光レベルを制御した後、受信側の監視制御装置２１により可変減衰器１８及び受光素子１９の制御を行うことで、各波長の光信号のＢＥＲが平均化された上で、光受信器２２−１〜２２−ｎにより受信される各波長の光信号を所望の光レベルにすることができ、波長増設によって所望の特性を得るために必要な調整作業を短時間で行うことができるだけでなく、短時間にＢＥＲが平均化され、波長毎により高く、平均的な特性を得ることが可能である。
【００６５】
以上のように、この発明の実施の形態３によれば、受信側の監視制御装置２１により算出される各波長の光信号のＢＥＲを、送信側の監視制御装置５にフィードバックして、各波長の光信号のＢＥＲを平均化させるように光送信器６−１〜６−ｎにより生成される各波長の光信号の光レベルを制御した後、受信側の監視制御装置２１により可変減衰器１８及び受光素子１９の制御を行うように構成したので、この発明の実施の形態１の効果に加えて、短時間にＢＥＲが平均化され、波長毎により高く、平均的な特性を得ることが可能である。
【符号の説明】
【００６６】
１  波長分割多重光伝送装置（送信側）、２  海底中継伝送路、３  波長分割多重光伝送装置（受信側）、４，１５  既設ＷＤＭ装置、５，２１  監視制御装置、６−１〜６−ｎ  光送信器、７，１７  波長分割多重器、８，１０，１１，１６  光増幅器、９，１４  合分波器、１２  光カプラ、１３  波長レベルモニタ（ＯＳＡ）、１８  可変減衰器、１９  受光素子、２０−１〜２０−ｎ，２２−１〜２２−ｎ  光受信器、２３  Ｏ／Ｅ部、２４  誤り訂正符号（ＦＥＣ）部、２５  Ｅ／Ｏ部。
【図１】
2011010015.tif 000003
【図２】
2011010015.tif 000004
【図３】
2011010015.tif 000005
【図４】
2011010015.tif 000006
【図５】
2011010015.tif 000007